(57)【要約】【課題】簡易な構成で、同一波長の光ビームを用いる複数種類の光ディスクに対応した光ピックアップを実現する。【解決手段】ＨＤ用ディスク１００ＡのトラックピッチＰｈｄとＨＤ用光学系４０の光学倍率Ｍｈｄとの比と、ＢＤ用ディスク１００ＢのトラックピッチＰｂｄとＢＤ用光学系５０の光学倍率Ｍｂｄとの比とが一致するように、光学倍率Ｍｈｄ及びＭｂｄを設定したことにより、同一の回折素子３２で生成した２つのサブビームを、ＨＤ用ディスク１００Ａ及びＢＤ用ディスク１００Ｂの双方に対し正しい位置に照射して、適切なトラッキング制御を行うことができる【選択図】図４
2008130122.tif 000002
【特許請求の範囲】
【請求項１】
同一の光源から出射される光ビームを、第１の光学系に設けられた第１の対物レンズで集光して第１の光ディスクに照射するか、第２の光学系に設けられた第２の対物レンズで集光して第２の光ディスクに照射する光ピックアップであって、
上記光源から出射された上記光ビームをメインビーム及びサブビームに分岐する分岐手段と、
上記第１の光ディスクに上記光ビームを照射する際、上記メインビーム及びサブビームを上記第１の対物レンズに導く一方、上記第２の光ディスクに上記光ビームを照射する際、上記メインビーム及びサブビームを上記第２の対物レンズに導く光路切替手段と
を具え、
上記第１の光ディスクのトラックピッチと上記第１の光学系の光学倍率との比率と、上記第２の光ディスクのトラックピッチと上記第１の光学系の光学倍率との比率とが等しくなるよう、当該第１及び第２の光学系の光学倍率が定められている
ことを特徴とする光ピックアップ。
【請求項２】
上記光路切替手段は、
上記第１の光ディスクに上記光ビームを照射する際と上記第２の光ディスクに上記光ビームを照射する際とで当該光ビームの偏光方向を相違させる偏光方向調整手段と、
上記光ビームの偏光方向の相違を利用して、上記第１の光ディスクに上記光ビームを照射する際には当該光ビームを透過して上記第１の対物レンズに導き、上記第２の光ディスクに上記光ビームを照射する際には当該光ビームを透過して上記第２の対物レンズに導く偏光ビームスプリッタと
を具えることを特徴とする請求項１に記載の光ピックアップ。
【請求項３】
同一の光源から出射される光ビームを、第１の光学系に設けられた第１の対物レンズで集光して第１の光ディスクに照射するか、第２の光学系に設けられた第２の対物レンズで集光して第２の光ディスクに照射する光ディスク装置であって、
上記光源から出射された上記光ビームをメインビーム及びサブビームに分岐する分岐手段と、
上記第１の光ディスクに上記光ビームを照射する際、上記メインビーム及びサブビームを上記第１の対物レンズに導く一方、上記第２の光ディスクに上記光ビームを照射する際、上記メインビーム及びサブビームを上記第２の対物レンズに導く光路切替手段と
を具え、
上記第１の光ディスクのトラックピッチと上記第１の光学系の光学倍率との比率と、上記第２の光ディスクのトラックピッチと上記第１の光学系の光学倍率との比率とが等しくなるよう、当該第１及び第２の光学系の光学倍率が定められている
ことを特徴とする光ディスク装置。
【発明の詳細な説明】
【技術分野】
【０００１】
本発明は光ピックアップ及び光ディスク装置に関し、例えば複数種類の光ディスクに対応した光ピックアップに適用して好適なものである。
【背景技術】
【０００２】
従来、光ディスク装置におけるトラッキング制御方法として、３スポットを用いたＤＰＰ（Differential Push Pull：差動プッシュプル）法が広く用いられている。
【０００３】
かかるＤＰＰ法を適用した光ディスク装置では、レーザダイオードなどの光源から出射した光ビームを回折素子によってメインビーム（０次光ビーム）及び２本のサブビーム（±１次光ビーム）に分光し、光ディスクに対して当該メインビームによるメインスポットを所望のトラック（グルーブ）上に位置するように照射すると共に、サブビームによる２つのサブスポットを当該所望のトラックから互いに反対方向へ半トラック分ずつずれたランドに位置するよう照射する。
【０００４】
そして光ディスク装置は、図１に示すように、光ディスクにおいてメインビームが反射されたメイン反射光スポットＳＰａを受光素子１のメイン受光部２で受光するとともに、サブビームが反射されたサブ反射光スポットＳＰｂ及びＳＰｃをサブ受光部３及び４で受光する。
【０００５】
メイン受光部２は、４分割された受光面Ａ〜Ｄでメイン反射光スポットＳＰａを受光し、当該受光面Ａ〜Ｄそれぞれの受光量に応じた検出信号Ａ〜Ｄを生成する。またサブ受光部３は、２分割された受光面Ｅ及びＦでサブ反射光スポットＳＰｂを受光し、当該受光面Ｅ及びＦそれぞれの受光量に応じた検出信号Ｅ及びＦを生成する。同様にサブ受光部４は、２分割された受光面Ｇ及びＨでサブ反射光スポットＳＰｃを受光し、当該受光面Ｇ及びＨそれぞれの受光量に応じた検出信号Ｇ及びＨを生成する。
【０００６】
光ディスク装置は、受光部２〜４によって生成された検出信号Ａ〜Ｈに基づき、次式を用いてメインプッシュプル信号ＭＰＰ、サイドプッシュプル信号ＳＰＰ１及びＳＰＰ２を生成する。
【０００７】
ＭＰＰ＝（Ａ＋Ｂ）−（Ｃ＋Ｄ）
ＳＰＰ１＝Ｅ−Ｆ
ＳＰＰ２＝Ｇ−Ｈ                                                  …（１）
【０００８】
そして光ディスク装置は、生成したメインプッシュプル信号ＭＰＰ、サイドプッシュプル信号ＳＰＰ１及びＳＰＰ２に基づき、次式を用いて差動プッシュプル信号ＤＰＰを生成し、当該差動プッシュプル信号ＤＰＰを用いてトラッキング制御処理を行うようになされている。ただし、ｋはＳＰａとＳＰｂ、ＳＰｃの光量比に基づく補正係数である。
【０００９】
ＤＰＰ＝ＭＰＰ／(Ａ＋Ｂ＋Ｃ＋Ｄ)−ｋ(ＳＰＰ１／(Ｅ＋Ｆ))＋(ＳＰＰ２／(Ｇ＋Ｈ))
…（２）
【００１０】
式（２）に示した差動プッシュプル信号ＤＰＰの算出式では、メインプッシュプル信号ＭＰＰ、サイドプッシュプル信号ＳＰＰ１、ＳＰＰ２をそれぞれ対応する検出部１１、１２、１３の総受光量Ａ＋Ｂ＋Ｃ＋Ｄ、Ｅ＋Ｆ、Ｇ＋Ｈで除算して正規化することにより、光ディスクの種別や記録状態に応じた反射光量の違いによって差動プッシュプル信号ＤＰＰに生じるオフセットを回避するようになされている。
【特許文献１】特開平７−１３４８３１号公報
【発明の開示】
【発明が解決しようとする課題】
【００１１】
ところで近年、光ディスクの更なる記録密度の向上及び大容量化の要求に応えるため、波長４０５[nm]の青色レーザを用いるブルーレイディスク（登録商標、以下ＢＤとも呼ぶ）やＨＤ−ＤＶＤが実用化されている。
【００１２】
そして、これらＢＤ及びＨＤ−ＤＶＤを共通の光ディスク装置で記録や再生できれば、更に利便性が向上すると考えられる。ところが、ＢＤとＨＤ−ＤＶＤとでは、光ディスクのカバー層の厚さや対物レンズの開口数に相違があるため、ＢＤ及びＨＤ−ＤＶＤ共用の対物レンズを設計することは困難である。
【００１３】
従って、ＢＤ及びＨＤ−ＤＶＤの双方に対応する光ピックアップには、ＢＤ専用の対物レンズ及びＨＤ−ＤＶＤ専用の対物レンズを設ける必要がある。一方、上述したようにＢＤ用のレーザ光及びＨＤ−ＤＶＤ用のレーザ光はどちらも波長４０５[nm]の青色レーザ光であるから、これら２つのレーザ光を共通のレーザ光源から出射するようにすれば、光ピックアップを簡素化及び小型化でき、さらには低コスト化できると考えられる。
【００１４】
ところが、このような構成の光ピックアップでは、単一のレーザ光源から出射される同波長のレーザ光を、用途に応じてＢＤ専用の対物レンズ又はＨＤ−ＤＶＤ専用の対物レンズに切り替えて入射させる必要があるという問題がある。
【００１５】
また、ＢＤとＨＤ−ＤＶＤとではトラックピッチが異るため、上述した３スポットを用いてトラッキング制御を行う場合、ＢＤ又はＨＤ−ＤＶＤの一方のトラックピッチに合わせてサブスポット間隔を設定すると、他方についてはサブスポットがランドの中心からずれてしまい、これにより差動プッシュプル信号ＤＰＰが劣化して、適切なトラッキング制御を行い得なくなるという問題があった。
【００１６】
本発明は以上の点を考慮してなされたもので、簡易な構成で、同一波長の光ビームを用いる複数種類の光ディスクに対応した光ピックアップ及び光ディスクドライブを提案しようとするものである。
【課題を解決するための手段】
【００１７】
かかる課題を解決するため本発明においては、同一の光源から出射される光ビームを、第１の光学系に設けられた第１の対物レンズで集光して第１の光ディスクに照射するか、第２の光学系に設けられた第２の対物レンズで集光して第２の光ディスクに照射する光ピックアップにおいて、光源から出射された光ビームをメインビーム及びサブビームに分岐する分岐手段と、第１の光ディスクに光ビームを照射する際、メインビーム及びサブビームを第１の対物レンズに導く一方、第２の光ディスクに光ビームを照射する際、メインビーム及びサブビームを第２の対物レンズに導く光路切替手段とを有し、第１の光ディスクのトラックピッチと第１の光学系の光学倍率との比率と、第２の光ディスクのトラックピッチと第１の光学系の光学倍率との比率とが等しくなるよう、当該第１及び第２の光学系の光学倍率を定めた。
【００１８】
これにより、同一の分岐手段を用いて生成したサブビームを、第１の光ディスク及び第２の光ディスクの双方に対して正しい位置に照射して、常に適切なトラッキング制御を行うことができる。
【００１９】
また本発明においては、同一の光源から出射される光ビームを、第１の光学系に設けられた第１の対物レンズで集光して第１の光ディスクに照射するか、第２の光学系に設けられた第２の対物レンズで集光して第２の光ディスクに照射する光ディスク装置において、光源から出射された光ビームをメインビーム及びサブビームに分岐する分岐手段と、第１の光ディスクに光ビームを照射する際、メインビーム及びサブビームを第１の対物レンズに導く一方、第２の光ディスクに光ビームを照射する際、メインビーム及びサブビームを第２の対物レンズに導く光路切替手段とを有し、第１の光ディスクのトラックピッチと第１の光学系の光学倍率との比率と、第２の光ディスクのトラックピッチと第１の光学系の光学倍率との比率とが等しくなるよう、当該第１及び第２の光学系の光学倍率を定めた。
【００２０】
これにより、同一の分岐手段を用いて生成したサブビームを、第１の光ディスク及び第２の光ディスクの双方に対して正しい位置に照射して、常に適切なトラッキング制御を行うことができる。
【発明の効果】
【００２１】
本発明によれば、第１の光ディスクのトラックピッチと光ビームを当該第１の光ディスクに照射する第１の光学系の光学倍率との比率と、第２の光ディスクのトラックピッチと光ビームを当該第２の光ディスクに照射する第２の光学系の光学倍率との比率とが等しくなるよう、当該第１及び第２の光学系の光学倍率を定めたことにより、同一の分岐手段を用いて生成したサブビームを、第１の光ディスク及び第２の光ディスクの双方に対して正しい位置に照射して、常に適切なトラッキング制御を行うことができ、かくして、簡易な構成で同一波長の光ビームを用いる複数種類の光ディスクに対応した光ピックアップ及び光ディスクドライブを実現することができる。
【発明を実施するための最良の形態】
【００２２】
以下、図面について、本発明の一実施の形態を詳述する。
【００２３】
（１）光ディスク装置の全体構成
図２において、２０は本発明を適用した光ディスク装置を示し、ＨＤ−ＤＶＤ方式でなる光ディスク１００（以下、これをＨＤ用ディスク１００Ａと呼ぶ）及びＢＤ方式でなる光ディスク（以下、これをＢＤ用ディスク１００Ｂと呼ぶ）の双方に対して記録及び再生を行い得るようになされている。
【００２４】
この光ディスク装置２０は、制御部２１によって全体を統括制御するようになされており、光ディスク１００（ＨＤ用ディスク１００又はＢＤ用ディスク１００Ｂ）装着された状態で、図示しない外部機器からの再生指示等を受け付けると、当該制御部２１から駆動部２２及び信号処理部２３を制御することにより、当該光ディスク１００に記録された情報を読み出すようになされている。
【００２５】
実際上、駆動部２２は制御部２１の制御に基づき、スピンドルモータ２４により光ディスク１００を所望の回転速度で回転させ、スレッドモータ２５により光ピックアップ２６を光ディスク１００の径方向であるトラッキング方向へ大きく移動させ、さらに２軸アクチュエータ２７により対物レンズユニット２８を光ディスク１００に対して近接又は離隔させる方向であるフォーカス方向及びトラッキング方向の２方向へそれぞれ細かく移動させる。
【００２６】
これと並行して信号処理部２３は、光ピックアップ２６により対物レンズユニット２８から光ビームを光ディスク１００の所望トラックに対して照射させ、その反射光の検出結果を基に再生信号を生成し、制御部２１を介してこの再生信号を図示しない外部機器へ送出させる。
【００２７】
このとき光ピックアップ２６は、装着された光ディスク１００の種別に応じた対物レンズ４３又は５３（図３）を用いて光ビームを集光し、当該光ディスク１００の記録層に焦点を合致させて照射するとともに、当該合焦記録層で反射された反射光ビームを対物レンズで受光して光電変換し、各種検出信号を生成して信号処理部２３に供給する。
【００２８】
駆動部２２は、信号処理部２３から供給されるフォーカスエラー信号やトラッキングエラー信号に基づいて２軸アクチュエータ２７を駆動する。また信号処理部２３は、光ピックアップ２６から供給される再生信号に対して所定の信号処理を施した後、制御部２１を介して外部に出力する。
【００２９】
（２）光ピックアップの構成
図３に示すように光ピックアップ２６は、光ビームの光源として、ＢＤ及びＨＤ−ＤＶＤに共通の波長４０５[nm]でなるレーザ光を出射するレーザダイオード３１を有している。
【００３０】
ＨＤ用ディスク１００Ａに対する記録又は再生を行う際、レーザダイオード３１は、駆動部２２（図２）から供給される駆動電流に応じた光量で光ビームを出射し、回折素子３２に入射する。分岐手段としての回折素子３２はレーザダイオード３１からの光ビームを回折し、記録及び再生用の０次光でなるメインビームとトラッキング制御用の±１次光でなる２本のサブビームとに分岐してアクティブ波長板３３に入射する。
【００３１】
光路切替手段及び偏光方向調整手段としてのアクティブ波長板３３は液晶光学素子でなり、例えばガラスでなる２枚の透明なカバーの間に液晶を封入して構成されている。そして、２枚のカバーの内面にはそれぞれ透明電極が設けられており、当該透明電極間に電圧を印加することにより液晶分子の配列方向を変化させて、当該アクティブ波長板３３を通過する光の偏光方向を変化させることができる。
【００３２】
ＨＤ用ディスク１００Ａに対する記録再生の際、制御部２１（図２）は、アクティブ波長板３３を透過する光がＰ偏光になるよう、当該アクティブ波長板３３への印加電圧を制御する。これにより、アクティブ波長板３３から出射される光ビーム（主ビーム及び２本の副ビーム）はＰ偏光の状態で偏光ビームスプリッタ３４に入射する。
【００３３】
光路切替手段としての偏光ビームスプリッタ３４の偏光光学膜面３４Ａは、Ｐ偏光を透過するとともにＳ偏光を反射するようにその光学的特性が定められている。これにより偏光ビームスプリッタ３４は、Ｐ偏光でなる光ビーム（メインビーム及び２本のサブビーム）をそのまま透過して、ＨＤ用光学系４０のＨＤ用コリメータレンズ４１に入射する。
【００３４】
ＨＤ用コリメータレンズ４１は光ビームを発散光から平行光へと変換し、ＨＤ用１／４波長板４２に入射する。ＨＤ用１／４波長板４２は、ＨＤ用コリメータレンズ４１からの光ビームをＰ偏光から円偏光へと変換して、ＨＤ用対物レンズ４３に入射する。
【００３５】
ＨＤ用対物レンズ４３は、ＨＤ−ＤＶＤに適応した焦点距離及び開口数を有しており、入射した光ビームのメインビーム及び２本のサブビームをそれぞれ集光して、ＨＤ用ディスク１００Ａの記録面に合焦させるとともに、当該記録面で反射された反射光ビームを受光し、ＨＤ用１／４波長板４２に再入射させる。
【００３６】
ＨＤ用１／４波長板４２は、反射光ビームを円偏光から往路とは直交するＳ偏光へと変換し、ＨＤ用コリメータレンズ４１を介して偏光ビームスプリッタ３４に入射する。
【００３７】
上述したように偏光ビームスプリッタ３４の偏光光学膜面３４Ａは、Ｐ偏光を透過するとともにＳ偏光を反射するよう光学的特性が定められていることから、偏光ビームスプリッタ３４は、Ｓ偏光でなる反射光ビーム（メイン反射ビーム及び２本のサブ反射ビーム）を偏光光学膜面３４Ａで反射し、マルチレンズ３５を介して光検出器３６に照射する。
【００３８】
そして光検出器３６は、ＨＤ用ディスク１００Ａからのメイン反射ビーム及び２本のサブ反射ビームそれぞれの光量に応じて再生信号やエラー信号等の各種検出信号を生成し、光ディスク装置２０の信号処理部２３（図２）に出力する。
【００３９】
これに対して、ＢＤ用ディスク１００Ｂに対する記録又は再生を行う際、レーザダイオード３１は、駆動部２２から供給される駆動電流に応じた光量で光ビームを出射し、回折素子３２に入射する。回折素子３２は、レーザダイオード３１からの光ビームを回折して、記録及び再生用の０次光でなるメインビームと、トラッキング制御用の±１次光でなる２本のサブビームとを生成して、アクティブ波長板３３に入射する。
【００４０】
このとき制御部２１は、アクティブ波長板３３を透過する光がＳ偏光になるよう、当該アクティブ波長板３３への印加電圧を制御する。これにより、アクティブ波長板３３から出射される光ビーム（メインビーム及び２本のサブビーム）はＳ偏光の状態で偏光ビームスプリッタ３４に入射する。
【００４１】
上述したように偏光ビームスプリッタ３４の偏光光学膜面３４Ａは、Ｐ偏光を透過するとともにＳ偏光を反射するよう光学的特性が定められているため、当該偏光ビームスプリッタ３４は、Ｓ偏光でなる光ビーム（メインビーム及び２本のサブビーム）を偏光光学膜面３４Ａで反射した後さらに反射面３４Ｂで反射することにより、その光軸を平行移動して、ＢＤ用光学系５０のＢＤ用コリメータレンズ５１に入射する。
【００４２】
ＢＤ用コリメータレンズ５１は光ビームを発散光から平行光へと変換し、ＢＤ用１／４波長板５２に入射する。ＢＤ用１／４波長板５２は、ＢＤ用コリメータレンズ５１からの光ビームをＳ偏光から円偏光へと変換して、ＢＤ用対物レンズ５３に入射する。
【００４３】
ＢＤ用対物レンズ５３は、ＢＤに適応した焦点距離及び開口数を有しており、入射した光ビームの主ビーム及び２本の副ビームをそれぞれ集光して、ＢＤ用ディスク１００Ｂの記録面に合焦させるとともに、当該記録面で反射された反射光ビームを受光し、ＢＤ用１／４波長板５２に再入射させる。
【００４４】
ＢＤ用１／４波長板５２は、反射光ビームを円偏光から往路とは直交するＰ偏光へと変換し、ＢＤ用コリメータレンズ５１及び偏光ビームスプリッタ３４の反射面３４Ｂを順次介して偏光光学膜面３４Ａに入射する。
【００４５】
上述したように、偏光光学膜面３４ＡはＰ偏光を透過するとともにＳ偏光を反射するよう光学的特性が定められていることから、Ｐ偏光でなるＢＤ用ディスク１００Ｂからの反射光ビーム（主反射ビーム及び２本の副反射ビーム）を透過し、マルチレンズ３５を介して光検出器３６に照射する。
【００４６】
そして光検出器３６は、ＢＤ用ディスク１０Ｂからのメイン反射ビーム及び２本のサブ反射ビームそれぞれの光量に応じて再生信号やエラー信号等の各種検出信号を生成し、光ディスク装置２０の信号処理部２３（図２）に出力する。
【００４７】
（３）本発明の光ピックアップにおけるスポット間隔の設定
上述したようにこの光ピックアップ２６は、ＨＤ−ＤＶＤ方式及びＢＤ方式の２種類の光ディスクに対応している。そして、光源としてのレーザダイオード３１と、メインビーム及び２本のサブビームを生成するための回折素子３２とを、ＨＤ−ＤＶＤ方式及びＢＤ方式の双方に対して共用することにより、光ピックアップ２６の小型化及び簡素化を実現し、ひいては光ディスク装置２０全体をも小型化している。
【００４８】
ところが、ＨＤ−ＤＶＤ方式とＢＤ方式とではトラックピッチに相違がある（ＨＤ−ＤＶＤのトラックピッチＰｈｄ＝０．４[μm]に対してＢＤのトラックピッチＰｂｄ＝０．３２[μm]）。そして、正常なトラッキング制御を行うには、メインスポットが目的のグルーブ上に位置した状態においてサブビームを隣接するランド上に位置させる必要があり、このためＨＤ用ディスク１００Ａ及びＢＤ用ディスク１００Ｂの双方に対し、メインスポット及びサブスポットの間隔がトラックピッチの半分になるようにする必要がある。
【００４９】
このため本発明の光ピックアップ２６では、レーザダイオード３１からＨＤ用対物レンズ４３に至るＨＤ用光学系４０の光学倍率Ｍｈｄと、レーザダイオード３１からＢＤ用対物レンズ５３に至るＢＤ用光学系５０の光学倍率Ｍｂｄとを適切に設定することにより、共通の回折素子３２を用いて、ＨＤ用ディスク１００Ａ及びＢＤ用ディスク１００Ｂの双方に対して、サブスポットが正しい位置に照射されるようにした。
【００５０】
図４に示すように、回折素子３２はレーザダイオード３１からの光ビームを回折角θで回折して、＋１次光及び−１次光でなる２本のサブビームを生成する。そして、レーザダイオード３１の発光面における光ビームの発光点をＳＰ０とするとともに、＋１次光及び−１次光の発光点の虚像をそれぞれＳＰ＋１及びＳＰ−０とし、ＳＰ０とＳＰ＋１との間隔及びＳＰ０とＳＰ−０との間隔をそれぞれ発光点間隔ｙとする。
【００５１】
この場合、ＨＤ用ディスク１００Ａの記録面におけるメインスポットとサブスポットの間隔（スポット間隔）ＢＳｈｄは、次に示す（３）式で与えられる。
【００５２】
ＢＳｈｄ＝ｙ×Ｍｈｄ                                              ……（３）
【００５３】
また、ＢＤ用ディスク１００Ｂの記録面におけるスポット間隔ＢＳｂｄは、次に示す（４）式で与えられる。
【００５４】
ＢＳｂｄ＝ｙ×Ｍｂｄ                                              ……（４）
【００５５】
さらに、ＨＤ用ディスク１００Ａ及びＢＤ用ディスク１００Ｂに対するスポット間隔ＢＳｈｄ及びＢＳｂｄと、トラックピッチＰｈｄ及びＰｂｄの関係は次に示す（５）式で与えられる。
【００５６】
Ｐｂｄ：ＢＳｂｄ＝Ｐｈｄ：ＢＳｈｄ                                ……（５）
【００５７】
従って、（３）〜（５）式から導かれる（６）式を満たすように、すなわちＨＤ用ディスク１００ＡのトラックピッチＰｈｄとＨＤ用光学系４０の光学倍率Ｍｈｄとの比と、ＢＤ用ディスク１００ＢのトラックピッチＰｂｄとＢＤ用光学系５０の光学倍率Ｍｂｄとの比とが一致するように、ＨＤ用光学系４０の光学倍率Ｍｈｄ及びＢＤ用光学系５０の光学倍率Ｍｂｄを設定すれば、ＨＤ用ディスク１００Ａ及びＢＤ用ディスク１００Ｂの双方に対して、サブビームをランド上の正しい位置に照射することができる。
【００５８】
Ｐｈｄ／Ｍｈｄ＝Ｐｂｄ／Ｍｂｄ                                    ……（６）
【００５９】
ここで、ＨＤ用対物レンズ４３の焦点距離をｆｏｈｄ 、ＨＤ用コリメータレンズ４１の焦点距離をｆｃｈｄとすると、ＨＤ用光学系４０の光学倍率Ｍｈｄは次に示す（７）式で与えられる。
【００６０】
Ｍｈｄ＝ｆｏｈｄ／ｆｃｈｄ                                        ……（７）
【００６１】
また、ＢＤ用対物レンズ５３の焦点距離をｆｏｂｄ 、ＢＤ用コリメータレンズ５１の焦点距離をｆｃｂｄとすると、ＢＤ用光学系５０の光学倍率Ｍｂｄは次に示す（８）式で与えられる。
【００６２】
Ｍｈｄ＝ｆｏｂｄ／ｆｃｂｄ                                        ……（８）
【００６３】
例えば、ＨＤ用対物レンズ４３の焦点距離ｆｏｈｄ＝２[mm] 、ＢＤ用対物レンズ５３の焦点距離ｆｏｂｄ＝１．２[mm]、ＨＤ用コリメータレンズ４１の焦点距離ｆｃｈｄ＝２０[mm] 、ＢＤ用コリメータレンズ５１の焦点距離ｆｃｂｄ＝１５[mm] とすると、ＨＤ用光学系４０の光学倍率Ｍｈｄ＝１／１０、ＢＤ用光学系５０の光学倍率Ｍｂｄ＝１／１２．５となって上述した（４）式を満たし、ＨＤ用ディスク１００Ａ及びＢＤ用ディスク１００Ｂの双方に対して、サブビームをランド上の正しい位置に照射することができる。
【００６４】
（４）動作及び効果
以上の構成において、光ディスク装置２０は、装着された光ディスク１００の種別に応じてアクティブ波長板３３を制御して光ビームの偏光方向を変化させることにより、当該光ディスク１００の種別に応じたＨＤ用光学系４０又はＢＤ用光学系５０を介して光ビームを照射する。
【００６５】
このとき光ディスク装置２０の光ピックアップ２６は、ＨＤ用ディスク１００ＡのトラックピッチＰｈｄとＨＤ用光学系４０の光学倍率Ｍｈｄとの比と、ＢＤ用ディスク１００ＢのトラックピッチＰｂｄとＢＤ用光学系５０の光学倍率Ｍｂｄとの比とが一致するように、光学倍率Ｍｈｄ及びＭｂｄが設定されていることから、同一の回折素子３２によって生成された２つのサブビームを、ＨＤ用ディスク１００Ａ及びＢＤ用ディスク１００Ｂの双方のランド上に正しく照射することができ、これにより、正しいトラッキングエラー信号を生成して適切なトラッキング制御を行うことができる。
【００６６】
そしてこの光ディスク装置２０では、レーザダイオード３１及び回折素子３２をＨＤ−ＤＶＤ及びＢＤで共用することで、光ピックアップ２６を簡素化及び小型化し、さらには当該光ディスク装置２０自体も小型化することができる。
【００６７】
以上の構成によれば、ＨＤ用ディスク１００ＡのトラックピッチＰｈｄとＨＤ用光学系４０の光学倍率Ｍｈｄとの比と、ＢＤ用ディスク１００ＢのトラックピッチＰｂｄとＢＤ用光学系５０の光学倍率Ｍｂｄとの比とが一致するように、光学倍率Ｍｈｄ及びＭｂｄを設定したことにより、同一の回折素子３２で生成した２つのサブビームを、常に正しい位置に照射して適切なトラッキング制御を行うことができ、かくして、簡易な構成で、同一波長の光ビームを用いる複数種類の光ディスクに対応した光ピックアップ及び光ディスクドライブを実現することができる。
【００６８】
（５）他の実施の形態
なお上述の実施の形態においては、偏光ビームスプリッタ３４の偏光光学膜面３４Ａの光学的特性を、Ｐ偏光を透過するとともにＳ偏光を反射するように定め、ＨＤ用ディスク１００Ａに対する記録再生の際はアクティブ波長板３３を透過する光がＰ偏光になるとともに、ＢＤ用ディスク１００Ｂに対する記録再生の際はアクティブ波長板３３を透過する光がＳ偏光になるよう、当該アクティブ波長板３３を制御するようにしたが、本発明はこれに限らず、偏光光学膜面３４Ａの光学的特性をＳ偏光を透過するとともにＰ偏光を反射するように定め、ＨＤ用ディスク１００Ａに対する記録再生の際はアクティブ波長板３３を透過する光がＳ偏光になるとともに、ＢＤ用ディスク１００Ｂに対する記録再生の際はアクティブ波長板３３を透過する光がＰ偏光になるよう、当該アクティブ波長板３３を制御するようにしてもよい。
【００６９】
また上述の実施の形態においては、液晶光学素子でなるアクティブ波長板３３を用いて、ＨＤ用光学系４０とＢＤ用光学系５０とを切り替えるようにしたが、本発明はこれに限らず、例えば異なる偏光方向を有する波長板を光ディスク１００の種別に応じて光路内に挿入して光ビームの偏光方向を変化させる等、この他種々の方法を用いてＨＤ用光学系４０とＢＤ用光学系５０とを切り替えるようにしてもよい。
【００７０】
さらに上述の実施の形態においては、同一波長のレーザ光を用いるブルーレイディスク及びＨＤ−ＤＶＤの２方式に対応した光ディスク装置２０に本発明を適用した場合について述べたが、本発明はこれに限らず、この他種々の同一波長のレーザ光を用いる複数種類の光ディスクに対応した光ディスク装置にも本発明を適用することができる。
【産業上の利用可能性】
【００７１】
本発明は、複数種類の光ディスクに対応した光ディスク装置に適用できる。
【図面の簡単な説明】
【００７２】
【図１】従来の光ピックアップの構成を示す略線図である。
【図２】光ディスク装置の全体構成を示すブロック図である。
【図３】本発明による光ピックアップの構成を示す略線図である。
【図４】光学倍率とスポット間隔の関係の説明に供する略線図である。
【符号の説明】
【００７３】
２０……光ディスク装置、２１……制御部、２２……駆動部、２３……信号処理部、２４……スピンドルモータ、２５……スレッドモータ、２６……光ピックアップ、２７……２軸アクチュエータ、２８……対物レンズユニット、３１……レーザダイオード、３２……回折素子、３３……アクティブ波長板、３４……偏光ビームスプリッタ、３５……マルチレンズ、３６……光検出器、４０……ＨＤ用光学系、４１……ＨＤ用コリメータレンズ、４２……ＨＤ用１／４波長板、４３……ＨＤ用対物レンズ、５０……ＢＤ用光学系、５１……ＢＤ用コリメータレンズ、５２……ＢＤ用１／４波長板、５３……ＢＤ用対物レンズ、１００……光ディスク。
【図１】
2008130122.tif 000003
【図２】
2008130122.tif 000004
【図３】
2008130122.tif 000005
【図４】
2008130122.tif 000006